【手続補正書】
【提出日】平成27年3月17日(2015.3.17)
【手続補正１】
【補正対象書類名】特許請求の範囲
【補正対象項目名】全文
【補正方法】変更
【補正の内容】
【特許請求の範囲】
【請求項１】
持点による遊技が可能であり、入賞の発生に応じて持点が加算される遊技機と、遊技者所有の遊技用価値を用いて持点を加算するとともに前記遊技機と通信可能に接続される遊技用装置とからなる遊技用システムであって、
前記遊技機は、
内部に封入される遊技媒体により遊技が可能であり、
遊技機器の前面を開閉可能に覆っている前面部材と、
該前面部材を閉塞状態でロックするロック手段と、
遊技への使用および入賞の発生に応じた持点の変化量を特定する特定手段と、
前記変化量を特定可能な更新情報を前記遊技用装置へ送信する情報送信手段とを含み、
前記遊技用装置は、
持点を記憶する主持点記憶手段と、
前記主持点記憶手段が記憶している持点を、受信した前記更新情報に基づいて更新する持点更新手段と、
遊技禁止を指示するための情報、および前記ロック手段によるロックの解除を指示するための情報を前記遊技機へ送信する指示情報送信手段とを含み、
前記遊技機は、
遊技禁止を指示するための情報を受信したときに、持点による遊技を禁止する遊技禁止手段と、
前記ロック手段によるロックの解除を指示するための情報を受信したときに、前記ロック手段によるロックを解除する解除手段と、
遊技が禁止されたことを特定可能な遊技禁止情報を前記遊技用装置へ送信する遊技禁止情報送信手段とをさらに含み、
前記指示情報送信手段は、
前記ロック手段によるロックの解除を指示するための情報を送信する前に、遊技禁止を指示するための情報を送信し、
前記遊技用装置が前記遊技禁止情報を受信し、かつ、前記遊技機側での遊技結果の確定を待つための所定時間が経過した後に、前記ロック手段によるロックの解除を指示するための情報を送信する、遊技用システム。
【請求項２】
内部に封入される遊技媒体により遊技が可能であり前面が前面部材によって開閉可能に覆われた遊技機と通信可能に接続するための接続部を備え、遊技者所有の遊技用価値を用いて前記遊技機による遊技に使用するための持点を加算する遊技用装置であって、
持点を記憶する持点記憶手段と、
前記持点記憶手段が記憶している持点を、前記遊技機から受信した遊技への使用および入賞の発生に応じた持点の変化量を特定可能な更新情報に基づいて更新する持点更新手段と、
遊技禁止を指示するための情報、および閉塞状態でロックされた前記前面部材のロックの解除を指示するための情報を前記遊技機へ送信する指示情報送信手段と、
遊技が禁止されたことを特定可能な遊技禁止情報を前記遊技機より受信する遊技禁止情報受信手段とを含み、
前記指示情報送信手段は、
前記前面部材のロックの解除を指示するための情報を送信する前に、遊技禁止を指示するための情報を送信し、
前記遊技禁止情報を受信し、かつ、前記遊技機側での遊技結果の確定を待つための所定時間が経過した後に、前記前面部材のロックの解除を指示するための情報を送信する、遊技用装置。
【手続補正２】
【補正対象書類名】明細書
【補正対象項目名】発明の名称
【補正方法】変更
【補正の内容】
【発明の名称】遊技用システムおよび遊技用装置
【手続補正３】
【補正対象書類名】明細書
【補正対象項目名】０００１
【補正方法】変更
【補正の内容】
【０００１】
本発明は、持点による遊技が可能であり、入賞の発生に応じて持点が加算される遊技機と、遊技者所有の遊技用価値を用いて持点を加算するとともに前記遊技機と通信可能に接続される遊技用装置とからなる遊技用システム、または前記遊技用装置に関する。
【手続補正４】
【補正対象書類名】明細書
【補正対象項目名】００１２
【補正方法】変更
【補正の内容】
【００１２】
（１）  持点による遊技が可能であり、入賞の発生に応じて持点が加算される遊技機（パチンコ機２）と、遊技者所有の遊技用価値（プリペイド残高、持玉数、あるいは貯玉数）を用いて持点を加算するとともに前記遊技機と通信可能に接続（コネクタ３３０、２０と接続配線）される遊技用装置（カードユニット３）とからなる遊技用システムであって、
前記遊技機は、
内部に封入される遊技媒体により遊技が可能であり、
遊技機器の前面を開閉可能に覆っている前面部材（前枠５、ガラス扉６）と、
該前面部材を閉塞状態でロックするロック手段（前枠開放ソレノイド１１、ガラス扉開放ソレノイド１０、係合突起８、係合穴９、係合受け片７ａ、７ｂ、係合突起６ａ、６ｂ）と、
遊技への使用および入賞の発生に応じた持点の変化量（加算玉数、減算玉数）を特定する特定手段（遊技機制御用のマイクロコンピュータ、加算玉数カウンタ、減算玉数カウンタ）と、
前記変化量を特定可能な更新情報（加算玉数および減算玉数を含む動作応答）を前記遊技用装置へ送信する情報送信手段（玉数制御基板１７）とを含み、
前記遊技用装置は、
持点を記憶する主持点記憶手段（「遊技玉数」を記憶するＲＡＭ）と、
前記主持点記憶手段が記憶している持点を、受信した前記更新情報に基づいて更新する持点更新手段（制御部３２３）と、
遊技禁止を指示するための情報（図２２および図２４；禁止要求有の動作指示）、および前記ロック手段によるロックの解除を指示するための情報（図２２；ガラス開要求有の動作指示、図２４；セル開放要求有の動作指示）を前記遊技機へ送信する指示情報送信手段（遊技機通信部３２５）とを含み、
前記遊技機は、
遊技禁止を指示するための情報を受信したときに、持点による遊技を禁止する遊技禁止手段と、
前記ロック手段によるロックの解除を指示するための情報を受信したときに、前記ロック手段によるロックを解除する解除手段と、
遊技が禁止されたことを特定可能な遊技禁止情報（図２２および図２４；禁止拒否ＯＦＦの動作応答）を前記遊技用装置へ送信する遊技禁止情報送信手段とをさらに含み、
前記指示情報送信手段は、
前記ロック手段によるロックの解除を指示するための情報を送信する前に、遊技禁止を指示するための情報を送信し（図２２、図２４）、
前記遊技用装置が前記遊技禁止情報を受信し、かつ、前記遊技機側での遊技結果の確定を待つための所定時間（図２２および図２４の浮遊玉処理待ち時間）が経過した後に、前記ロック手段によるロックの解除を指示するための情報を送信する（図２２、図２４）。
【手続補正５】
【補正対象書類名】明細書
【補正対象項目名】００１５
【補正方法】変更
【補正の内容】
【００１５】
さらに、遊技機側で持点による遊技が禁止され、かつ、遊技機側での遊技結果の確定を待つための所定時間が経過した後に、ロックの解除を指示するための情報が遊技用装置から遊技機に送信されることによって、前面部材の閉塞状態が解除されるために、前面部材の閉塞状態を遊技用装置側からの指示にて遊技結果に影響を与えることなく解除可能となる。
【手続補正６】
【補正対象書類名】明細書
【補正対象項目名】００３２
【補正方法】変更
【補正の内容】
【００３２】
（１０）  内部に封入される遊技媒体により遊技が可能であり前面が前面部材によって開閉可能に覆われた遊技機（パチンコ機２）と通信可能に接続するための接続部（コネクタ３３０）を備え、前記遊技機による遊技に使用するための持点を加算する遊技用装置（カードユニット３）であって、
持点を記憶する持点記憶手段（「遊技玉数」を記憶するＲＡＭ）と、
前記持点記憶手段が記憶している持点を、前記遊技機から受信した遊技への使用および入賞の発生に応じた持点の変化量を特定可能な更新情報に基づいて更新する持点更新手段（制御部３２３）と、
遊技禁止を指示するための情報（図２２および図２４；禁止要求有の動作指示）、および閉塞状態でロックされた前記前面部材のロックの解除を指示するための情報（図２２；ガラス開要求有の動作指示、図２４；セル開放要求有の動作指示）を前記遊技機へ送信する指示情報送信手段（遊技機通信部３２５）と、
遊技が禁止されたことを特定可能な遊技禁止情報（図２２および図２４；禁止拒否ＯＦＦの動作応答）を前記遊技機より受信する遊技禁止情報受信手段（遊技機通信部３２５）とを含み、
前記指示情報送信手段は、
前記前面部材のロックの解除を指示するための情報を送信する前に、遊技禁止を指示するための情報を送信し（図２２、図２４）、
前記遊技禁止情報を受信し、かつ、前記遊技機側での遊技結果の確定を待つための所定時間（図２２および図２４の浮遊玉処理待ち時間）が経過した後に、前記前面部材のロックの解除を指示するための情報を送信する（図２２、図２４）。
【手続補正７】
【補正対象書類名】明細書
【補正対象項目名】００３５
【補正方法】変更
【補正の内容】
【００３５】
さらに、遊技機側で持点による遊技が禁止され、かつ、遊技機側での遊技結果の確定を待つための所定時間が経過した後に、ロックの解除を指示するための情報が遊技用装置から遊技機に送信されることによって、前面部材の閉塞状態が解除されるために、前面部材の閉塞状態を遊技用装置側からの指示にて遊技結果に影響を与えることなく解除可能となる。